(57)【要約】【課題】マウス用アタッチメントに関し、マウス本体に装着してマウス本体の大きさ等を自由に変更できるようにすることを目的とする。【解決手段】マウス装置１のカバー上半分にマウスアクション操作部２への操作が可能なように着脱自在に装着される。【選択図】  図１
2005309685.tif 000002
【特許請求の範囲】
【請求項１】
マウス装置のカバー上半分にマウスアクション操作部への操作が可能なように着脱自在に装着されるマウス用アタッチメント。
【請求項２】
前記マウスアクション操作部を覆う覆い部を備え、
該覆い部には、マウスアクション操作部を操作する動作連結部４を設けた請求項１記載のマウス用アタッチメント。
【請求項３】
前記マウスアクション操作部が直接外部に露出する形状を有する請求項１記載のマウス用アタッチメント。
【請求項４】
小型のマウス装置と、
このマウス装置に装着され、全体の容積を増加させる請求項１ないし３のいずれかに記載のマウス用アタッチメントとからなるマウスセット。
【発明の詳細な説明】
【技術分野】
【０００１】
本発明は、マウス用アタッチメントに関するものである。
【背景技術】
【０００２】
コンピュータ装置におけるポインティングディバイスとしてマウス装置が多用されている。このマウス装置は、机上等での移動量をマウス内部の検出部で検知し、コンピュータ装置に送信するように構成される。
【発明の開示】
【発明が解決しようとする課題】
【０００３】
しかし、上述した従来において、マウス装置の大きさは不変であるために、例えば、子供が使用するには大きすぎて操作しにくいという問題がある。これに対しては、マウス装置を小型化することにより解決可能であるが、この場合には、大人が操作しにくくなるという問題がある。
【０００４】
本発明は、上述した欠点を解消すべくなされたものであって、マウス本体に装着してマウス本体の大きさ等を自由に変更できるマウス用アタッチメントの提供を目的とする。
また、本発明は、他の目的は、操作者によって大きさを可変にすることができるマウスセットの提供にある。
【課題を解決するための手段】
【０００５】
マウス用アタッチメントＡは、マウス装置１のカバー上半分に装着されてカバーの容積を実質的に増加させることができる。この結果、マウス装置１を子供でも使用できる程度に小さく形成しておき、大人が使用する場合には、本発明のアタッチメントを装着すれば、例えば親子でのマウスの共用が可能になる。
【発明の効果】
【０００６】
本発明によれば、操作者によって大きさを可変にすることができるようなるために、利用範囲、汎用性が向上する。
【発明を実施するための最良の形態】
【０００７】
図１にマウスセットを示す。この実施の形態において、マウスセットは、子供でも使用可能なように外形寸法を小さくしたマウス装置１と、このマウス装置１に装着されるアタッチメントＡとから構成される。
【０００８】
マウス装置１は、机上面等に対する移動距離を計測する距離計測部（図示せず）と、マウスアクション操作部２を構成するクリックボタン２Ａと、必要に応じて画面スクロールに対応するスクロールローラ２Ｂとをカバーによって覆って形成され、カバーからはコンピュータ装置に検出信号を伝送するためのケーブル５が引き出される。
【０００９】
一方、アタッチメントＡは、上記マウス装置１を上方から覆うようにキャップ形状に形成され、外形は、大人が操作するに適する大きさに設定される。このアタッチメントＡは、上記マウス装置１を覆う外殻に装着される、クリックボタン４Ａとスクロールローラ４Ｂとからなる動作連結部４を有し、スクロールローラ４Ｂは、外殻表面に一部が露出する第１ローラ４Ｂ-１と、第１ローラ４Ｂ-１の回転方向を反転させる第２ローラ４Ｂ-２とからなり、適宜手段で回転自在に軸支される。
【００１０】
第２ローラ４Ｂ-２の位置は、アタッチメントＡをマウス装置１に装着した状態でマウス装置１側のスクロールローラ２Ｂに回転力伝達可能な接触圧で接触するように決定され、アタッチメントＡの装着状態のばらつきにより第２ローラ４Ｂ-２がマウス装置１側のスクロールローラ２Ｂに対して空転しないように、第２ローラ４Ｂ-２は、寸法誤差を弾性変形により吸収可能な、ゴム、あるいは軟質の合成樹脂等で形成してもよい。
【００１１】
また、クリックボタン４Ａの裏面には、押圧突起６が突設される。この押圧突起６は、アタッチメントＡをマウス装置１に装着した状態で先端がマウス装置１のクリックボタン２Ａに軽く触れるか、あるいはマウス装置１のクリックボタン２Ａとの間に小さな隙間が形成される寸法とされ、アタッチメントＡ不操作時におけるマウス装置１のクリックボタン２Ａの押下が防止される。
【００１２】
したがってこの実施の形態において、マウス装置１は子供が操作できるために十分に小さなために、このままで手の小さな子供が使用できる。この状態から、アタッチメントＡを装着すると、胴部の容量が大人でも操作しやすい程度になり、さらに、アタッチメントＡのクリックボタン４Ａ、スクロールローラ４Ｂ等も通常のマウスと同様に利用することができる。
【００１３】
図２に本発明の第２の実施の形態を示す。なお、以下の説明において、上述した実施の形態と実質的に同一の構成要素につては、図中に同一符号を付して説明を省略する。
この実施の形態において、アタッチメントＡは、マウス装置１の後方を覆うことができるような形状に形成され、マウス装置１に装着した状態で、マウス装置１のクリックボタン２Ａとスクロールローラ２Ｂとが露出する形状に形成される。
【００１４】
したがってこの実施の形態においては、図２（ｃ）に示すように、マウス装置１側のクリックボタン２Ａとをそのまま使用して操作することが可能になる。この結果、アタッチメントＡには別途クリックボタン４Ａ等を要しないために、構造を簡単にできる。
【００１５】
図３以下にアタッチメントＡのマウス装置１への装着構造を示す。図３（ｂ）に示すアタッチメントＡは、ゴム、スポンジ等、弾性を有し、柔軟な材料による把持部７の外周を硬質の外殻部材８により覆って形成される。把持部７の内壁は、マウス装置１の外径よりやや小寸に形成されており、マウス装置１への装着により把持部７はやや弾性変形し、弾性復元力によりマウス装置１の外周壁面に圧接し、装着状態を維持する。
【００１６】
この場合、把持部７を滑り抵抗の高い材料で形成すると、マウス装置１に特別の工作を施さなくとも脱落を有効に防止することができるが、図に３（ｃ）示すように、マウス装置１に係止凹部９を形成すると、保持力をより高めることができる。
【００１７】
また、図３（ｂ）においては、把持部７はゴム等により形成された場合を示したが、図３（ｃ）に示すように、スプリング１０により形成することも可能である。なお、以上の変形例は、図３（ａ）に示すように、マウス装置１のクリックボタン２Ａ等をそのまま利用する場合を例にとったが、図１に示すように、マウス装置１全体を覆うものについても適用可能である。
【００１８】
図に４アタッチメントＡのマウス装置１への装着の他の変形例を示す。この変形例において、マウス装置１の側壁には、後述するロックピース１１が挿通可能な矩形開口１２が形成される。また、この矩形開口１２の前後には、後述する抜け止めリング１３と抜け止めピン１４が挿通する長孔１５が開設される。
【００１９】
一方、アタッチメントＡには、連結スライダ１６が前後方向に摺動操作可能に装着される。連結スライダ１６は、アタッチメントＡの外周壁面から露出するスライドプレート部１６ａと、アタッチメントＡに開設された矩形開口１７からアタッチメントＡ内に挿入されるＬ字形状のロックピース１１とを有する。スライドプレート部１６ａの裏面には、アタッチメントＡに開設されたガイド孔１８に挿通する抜け止めピン１４が一体に形成され、抜け止めリング１３によりアタッチメントＡからの脱離が防止される。
【００２０】
ロックピース１１は、前方（クリックボタン２Ａ側）に向けて突出するフック部１１ａを有し、連結スライダ１６は、図５（ａ）に示すようにロックピース１１がアタッチメントＡの裏面にほぼ一致する位置から、図５（ｄ）に示す、スライドプレート部１６ａの裏面がアタッチメントＡの外表面に当接する位置まで引き出し操作ができる。
【００２１】
したがってこの実施の形態において、アタッチメントＡを装着するには、まず、連結スライダ１６を図５（ａ）に示す状態に引き出す。この状態で、連結スライダ１６がマウス装置１に干渉することがなくなるために、この後、アタッチメントＡをマウス装置１に被せ、次いで、図５（ｄ）に示すように、連結スライダ１６を押し込む。
【００２２】
この状態でロックピース１１は矩形開口１２に挿通し、さらに、抜け止めリング１３が長孔１５の基端大径部１５ａに挿通する（図４（ａ）参照）。次いで、連結スライダ１６をクリックボタン２Ａ側に摺動させると、図５（ｅ）に示すように、ロックピース１１のフック部１１ａは矩形開口１２の周壁に係止し、両者が連結される。
【００２３】
なお、以上においては、不使用時の紛失を防止するために、連結スライダ１６をアタッチメントＡに脱離不能に連結する場合を示したが、通常状態においてはアタッチメントＡとは別体で、マウス装置１へのアタッチメントＡの連結時にのみ使用するように構成することも可能である。
【００２４】
また、以上においては、アタッチメントＡは小児用マウス装置１を大人でも使用可能にするためのものとして説明したが、デザイン変更等、種々の目的に使用することも可能であり、この場合、マウス装置１は、子供が使用できる程度の小さなものでなはなく、通常の大きさのものでもよい。
【図面の簡単な説明】
【００２５】
【図１】本発明を示す図で、（ａ）はマウス装置の側面図、（ｂ）はアタッチメントの一部を破断して示す側面図、（ｃ）はマウス装置にアタッチメントを装着した状態を示す説明図である。
【図２】本発明の他の実施の形態を示す図で、（ａ）はマウス装置の側面図、（ｂ）はアタッチメントの側面図、（ｃ）はマウス装置にアタッチメントを装着した状態を示す説明図である。
【図３】アタッチメントの装着構造を示す説明図で、（ａ）はアタッチメントを装着した状態の平面図、（ｂ）は（ａ）の３Ｂ-３Ｂ線断面図、（ｃ）は（ｂ）の変形例を示す断面図である。
【図４】図３の変形例を示す図で、（ａ）はマウス装置の側面図、（ｂ）はアタッチメントの一部を破断して示す側面図である。
【図５】連結スライダの動作を示す図で、（ａ）は図４（ｂ）の５Ａ-５Ａ線断面図、（ｂ）は図５（ａ）の５Ｂ方向矢視図、（ｃ）はアタッチメントのみを示す図５（ａ）の５Ｂ方向矢視図、（ｄ）は連結スライダを押し込んだ状態を示す断面図、（ｅ）はマウス装置に連結した状態を示す断面図である。
【符号の説明】
【００２６】
１        マウス装置
２        マウスアクション操作部
３        覆い部
４        動作連結部
Ａ        マウス用アタッチメント
【図１】
2005309685.tif 000003
【図２】
2005309685.tif 000004
【図３】
2005309685.tif 000005
【図４】
2005309685.tif 000006
【図５】
2005309685.tif 000007